(57)【特許請求の範囲】
【請求項１】
再充電可能バッテリーであって、
第１の温度（Ｔ１）から第２の温度（Ｔ２）の間の前記バッテリーの温度範囲にわたる１つのレベルの内部抵抗（Ｒ１）で、前記バッテリーを動作させるための少なくとも１つの負端子および少なくとも１つの正端子と、
第２のレベルの内部抵抗（Ｒ２）で、前記バッテリーを動作させるための少なくとも１つの高抵抗端子であって、前記バッテリーのセル内または前記バッテリーのセル間の少なくとも１つの抵抗器シートに電気接続される前記少なくとも１つの高抵抗端子と、
前記バッテリーの温度がＴ１よりも低いときに、Ｒ２を能動化するために、前記少なくとも１つの正端子または前記少なくとも１つの負端子のいずれかと、前記少なくとも１つの高抵抗端子とを電気接続しまたは接続解除するよう構成されたスイッチと
を備えた前記再充電可能バッテリー。
【請求項２】
Ｒ２の値がＴ１よりも２℃低い温度で決定されかつＲ１がＴ１で決定される場合、Ｒ２／Ｒ１の値が、２以上１００以下の間の値である、請求項１に記載の再充電可能バッテリー。
【請求項３】
前記少なくとも１つの抵抗器シートが、黒鉛、高配向熱分解黒鉛（ＨＯＰＧ）、ステンレス鋼、ニッケル、クロム、ニクロム、銅、アルミニウム、チタン、またはこれらの組合せで作製されている、請求項１または２に記載の再充電可能バッテリー。
【請求項４】
前記少なくとも１つの抵抗器シートが、１〜１５０マイクロメートルの厚さを有する、請求項１〜３のいずれか一項に記載の再充電可能バッテリー。
【請求項５】
前記少なくとも１つの抵抗器シートが、その表面上に、ポリエチレン、ポリプロピレン、塩素化ポリプロピレン、ポリエステル、ポリイミド、ＰＶＤＦ、ＰＴＦＥ、ナイロン、またはこれらのコポリマーから選択される保護コーティングを有する、請求項１〜４のいずれか一項に記載の再充電可能バッテリー。
【請求項６】
前記少なくとも１つの抵抗器シートが、前記バッテリーのセル内で均等に熱を発生させるように前記バッテリーのセル内で位置決めされる、請求項１〜５のいずれか一項に記載の再充電可能バッテリー。
【請求項７】
前記少なくとも１つの抵抗器シートが、前記バッテリー内で均等に熱を発生させるように前記バッテリーのセル間に位置決めされる、請求項１〜５のいずれか一項に記載の再充電可能バッテリー。
【請求項８】
前記少なくとも１つの抵抗器シートが、２つのタブを有するように構成され、一方のタブが、前記バッテリー内のその他の電極タブに電気接続されて低抵抗端子を形成し、前記少なくとも１つの抵抗器シートの他方のタブが、前記少なくとも１つの高抵抗端子を形成している、請求項１〜７のいずれか一項に記載の再充電可能バッテリー。
【請求項９】
前記少なくとも１つの抵抗器シートが、ニッケル、銅、またはアルミで作製されている、請求項１〜８のいずれか一項に記載の再充電可能バッテリー。
【請求項１０】
前記少なくとも１つの抵抗器シートが、０．１から５の間の数値をアンペア・時（Ａｈ）を単位とするバッテリーの容量で割った値に等しい、オームを単位とする抵抗を有する、請求項１〜９のいずれか一項に記載の再充電可能バッテリー。
【請求項１１】
前記少なくとも１つの高抵抗端子が、追加の負端子である、請求項１〜１０のいずれか一項に記載の再充電可能バッテリー。
【請求項１２】
前記少なくとも１つの高抵抗端子が、追加の正端子である、請求項１〜１０のいずれか一項に記載の再充電可能バッテリー。
【請求項１３】
前記スイッチは、熱によって自己能動化し、前記バッテリーの温度がＴ１よりも低いときに、Ｒ２を能動化するために、前記少なくとも１つの正端子または前記少なくとも１つの負端子のいずれかと、前記少なくとも１つの高抵抗端子とを電気接続しまたは接続解除するよう構成されている、請求項１に記載の再充電可能バッテリー。
【請求項１４】
前記スイッチが、電気化学的継電器および温度制御器、温度センサーを備えた固体継電器、温度センサーを備えたパワーＭＯＳＦＥＴ、温度センサーを備えた高電流スイッチ、または、バイメタルスイッチで構成される、請求項１に記載の再充電可能バッテリー。
【請求項１５】
ニッケル−金属水素化物バッテリーである請求項１〜１４のいずれか一項に記載の再充電可能バッテリー。
【請求項１６】
リチウムイオンバッテリーである請求項１〜１４のいずれか一項に記載の再充電可能バッテリー。
【請求項１７】
請求項１〜１６のいずれか一項に記載の再充電可能バッテリーと、Ｒ１での前記バッテリーの動作とＲ２での前記バッテリーの動作との間で切り換わることができる制御器とを含むバッテリーシステム。
【請求項１８】
前記バッテリーの温度がＴ１よりも低いときに、前記スイッチを能動化することによって、請求項１〜１６のいずれか一項に記載の再充電可能バッテリーを動作させるステップを具備する方法。
【請求項１９】
Ｒ２で前記バッテリーを動作させるステップをさらに具備し、
Ｒ２で前記バッテリーを動作させる前記ステップは、前記バッテリーの内部温度を上昇させるために定電圧−定電流（ＣＶＣＣ）サイクルを適用するステップを含む、請求項１８に記載の方法。
【請求項２０】
前記ＣＶＣＣサイクルの定電圧が０．２から１Ｖの間に設定され、電流限界が１Ｃから１０Ｃの間に設定される、請求項１９に記載の方法。
【発明の詳細な説明】
【技術分野】
【０００１】
本出願は、参照によりその両方の開示全体が本明細書に組み込まれる、２０１３年１０月１１日に出願された米国仮出願第６１／８９０，０１２号の利益を主張する２０１４年４月１７日に出願された米国出願第１４／２５５，７８０号の利益を主張するものである。
【０００２】
本発明は、一般に、再充電可能バッテリーに関し、より詳細には、氷点下の温度で高い電力およびエネルギーを送出する再充電可能バッテリーに関する。そのようなバッテリーは、車両、グリッドエネルギー貯蔵用のリチウムイオンバッテリーおよび屋外電力バックアップシステムを含む。
【発明の概要】
【発明が解決しようとする課題】
【０００３】
電子工学、輸送、およびグリッドエネルギー貯蔵用の、再充電可能なバッテリーには、通常、低い性能と、極端な温度での安全性への懸念の問題とがある。低温、特に氷点下の温度では、再充電可能なバッテリー、特にリチウムイオンバッテリーは、バッテリーセル内で生じる緩慢な電気化学動態および輸送プロセスに起因した、非常に低い電力性能および低いエネルギーを示す。高温では、リチウムイオンバッテリーは、安全上の問題となる。全ての周囲温度で高い性能を効率的にかつ安全に提供する全天候型バッテリー（ＡＣＢ：all climate batteries）が、強く求められている。
【課題を解決するための手段】
【０００４】
本開示の利点は、リチウムイオンバッテリーなどの再充電可能バッテリーであって、第１の温度（Ｔ１）から第２の温度（Ｔ２）の間のバッテリーの温度範囲全体にわたる１つのレベルの内部抵抗（Ｒ１）を有し、Ｔ１またはＴ２のいずれかの外側での第２のレベルの内部抵抗（Ｒ２）を有し、かつバッテリーの温度がＴ１またはＴ２のいずれかの外側にあるときに、Ｒ２を能動化（activate）するスイッチを有するバッテリーである。そのような再充電可能バッテリーは、ある温度範囲に全体にわたって１つの内部抵抗レベルで動作することができ、例えば、バッテリーは、通常の動作温度全体にわたってバッテリーの通常の動作中は低レベルの内部抵抗で、および他の温度または範囲全体にわたって別の内部抵抗レベルで、動作することができる。例えば、再充電可能バッテリーは、有利には氷点下の温度で異常に高い内部抵抗を示すことができ、その結果、Ｒ２でバッテリーを動作させることによって発生した内部熱が十分増強されてバッテリーを急速に温め、かつその後に、低い周囲温度環境で動作するにも関わらずバッテリーが高い電力およびエネルギーを出力することができるようになる。
【０００５】
これらおよびその他の利点は、少なくとも部分的には、第１の温度（Ｔ１）から第２の温度（Ｔ２）の間のバッテリーの温度範囲全体にわたる１つのレベルの内部抵抗（Ｒ１）でバッテリーを動作させるための少なくとも１つの負端子および少なくとも１つの正端子と；Ｔ１またはＴ２のいずれかの外側での第２のレベルの内部抵抗（Ｒ２）でバッテリーを動作させるための少なくとも１つの高抵抗端子と；バッテリーの温度がＴ１またはＴ２のいずれかの外側にあるときに、Ｒ２を能動化するスイッチとを含む、再充電可能バッテリーによって満たされる。本開示の実施形態では、Ｒ２の値がＴ１よりも約２℃低い温度で決定されかつＲ１がＴ１で決定される場合、Ｒ２／Ｒ１の値は２から５００の間およびこれらの値を含み、例えばＲ２／Ｒ１の値は２から１００の間およびこれらの値を含み、または２から５０の間およびこれらの値を含む。追加のまたは代替の実施形態では、Ｒ２の値がＴ２よりも約２℃高い温度で決定されかつＲ１がＴ２で決定される場合、Ｒ２／Ｒ１の値は２から５００の間およびこれらの値を含み、例えばＲ２／Ｒ１の値は２から１００の間およびこれらの値を含み、または２から５０の間およびこれらの値を含む。
【０００６】
本開示のある態様では、再充電可能バッテリーは、少なくとも１つの高抵抗端子が、バッテリーのセル内もしくはバッテリーのセル間の少なくとも１つの抵抗器シートに電気接続され、または少なくとも１つの高抵抗端子が、バッテリーのセル内の少なくとも１つの抵抗器シートに電気接続されることを含み、あるいは少なくとも１つの抵抗器シートが、バッテリーのセルの電極の集電器の一体化部分であることを含む。例えば、再充電可能バッテリーは、従来のバッテリーの電極−セパレーターシートの積層体またはジェリーロール内に埋め込まれた１つまたは複数の抵抗器シートと、バッテリーを動作させるための３つの端子とを含むことができる。端子は、低抵抗レベルＲ１でまたは高抵抗レベルＲ２でバッテリーを動作させる。３つの端子は、１つの正端子および２つの負端子、または２つの正端子および１つの負端子の、いずれかを含むことができる。前者の構成が好ましい。２つの同じ極性の端子は、バッテリー温度に応じて、Ｒ１でバッテリーを動作させるための端子とＲ２でバッテリーを動作させるための端子との間でバッテリーが切り換わるように、熱により自己能動化されまたは温度制御器により駆動されるスイッチによってさらに接続することができる。
【０００７】
本開示の実施形態は、少なくとも１つの抵抗器シートが２つのタブを有するように構成されて、一方のタブがバッテリー内のその他の電極タブに電気接続されて低抵抗端子を形成し、かつ少なくとも１つの抵抗器シートの他方のタブが少なくとも１つの高抵抗端子を形成することを含み、あるいは少なくとも１つの抵抗器シートは、バッテリーセルで使用される２つの金属集電器のいずれかもしくは両方または２つの金属集電器の一部と同じであることを含む。
【０００８】
開示の追加の実施形態は、抵抗器シートがバッテリー電解質（electrolyte）と直接接触しないように、モジュール内のバッテリーセルの外側および間に１つまたは複数の抵抗器シートまたは箔を含む、再充電可能バッテリーを含み、バッテリーセルは修正を必要としない。抵抗器シートは、バッテリーセルと直列に接続され、その間には熱により能動化されるスイッチが設けられる。そのような構成は、温度の関数としてバッテリーモジュールの抵抗レベルを変化させるように作用することができる。
【０００９】
本開示の別の態様は、再充電可能バッテリーを動作させる方法である。方法は、第１の温度（Ｔ１）から第２の温度（Ｔ２）の間のバッテリーの温度範囲で１つのレベルの内部抵抗（Ｒ１）を含むバッテリーを動作させるステップと、バッテリーの温度がＴ１またはＴ２のいずれかの外側にあるときに、Ｒ２を能動化するスイッチを能動化することによって、Ｔ１またはＴ２のいずれかの外側での第２のレベルの内部抵抗（Ｒ２）でバッテリーを動作させるステップとを含む。
【００１０】
本開示の別の態様は、高い電力およびエネルギーの出力のために、非常に低い周囲温度、例えば−４０℃から、再充電可能バッテリーを能動化する方法である。そのような低温環境では、バッテリーは、最初は高抵抗レベルにあり、能動化プロセスは、定電圧、定電流（ＣＶＣＣ：constant-voltage, constant-current）サイクルによってバッテリーを放電するステップを含み、定電圧は例えば０．２から１Ｖの間に設定され、電流限界は１Ｃから１０Ｃの範囲に設定される。次いで定電流は限界に達する。この能動化プロセスは、バッテリー内で著しい内部熱の発生をもたらし、非常に短い時間、例えば３０秒でバッテリー温度をさらに高く上昇させる。より高いバッテリー温度では、全天候型バッテリーは、低抵抗モードに自動的に切り換わり、室温の場合と同等の高い電力およびエネルギーの出力が可能になる。
【００１１】
方法の実施形態は、本開示の再充電可能バッテリーの様々な特徴および構成の、任意の１つ１つまたは組合せを含む。いくつかの実施形態では、例えば、Ｒ２の値がＴ１よりも約２℃低い温度で決定されかつＲ１がＴ１で決定される場合、Ｒ２／Ｒ１の値は２から５００の間およびこれらの値を含み、例えばＲ２／Ｒ１の値は２から１００の間およびこれらの値を含み、または２から５０の間およびこれらの値を含む。追加のまたは代替の実施形態では、Ｒ２の値がＴ２よりも約２℃高い温度で決定されかつＲ１がＴ２で決定される場合、Ｒ２／Ｒ１の値は２から５００の間およびこれらの値を含み、例えば、Ｒ２／Ｒ１の値は２から１００の間およびこれらの値を含み、または２から５０の間およびこれらの値を含む。
【００１２】
本発明の追加の利点は、本発明を実施するのに企図される最良の態様の単なる例示として、本発明の好ましい実施形態だけが示され記述される下記の詳細な記述から、当業者に容易に明らかになるであろう。理解されるように、本発明は、全て本発明から逸脱することなく、その他のおよび異なる実施形態が可能であり、そのいくつかの詳細は、様々な明白な点で修正することが可能である。したがって、図面および記述は本質的に例示と見なされ、限定するものではない。
【００１３】
同じ参照符号の表示を有する要素が全体を通して同様の要素を表している、添付図面を参照する。
【図面の簡単な説明】
【００１４】
【図１】本開示の実施形態による、電極−セパレーターアセンブリの積層体内に埋め込まれたいくつかの抵抗器シート／箔と、１つの高抵抗負端子ＨｉＲ（−）および１つの低抵抗負端子ＬｏＲ（−）と、１つの正端子（＋）と、ＨｉＲ（−）およびＬｏＲ（−）端子を接続する熱により能動化（activate）されるスイッチとを有する全天候型バッテリー（ＡＣＢ）の構成を示す概略図である。
【図２】本開示の実施形態による、電極−セパレーターアセンブリの積層体の中間に埋め込まれた１つの抵抗器シート／箔で構成された、全天候型バッテリーの構成を示す図である。
【図３−１】図３Ａ〜３Ｆは、本開示の実施形態による、２つのタブを持つ抵抗器シート／箔の６つのデザインを示す図である。一方のタブは、負電極シートの全てのタブに電気接続されまたは溶接されて、ＬｏＲ（−）端子を形成し、他方のタブは、ＨｉＲ（−）端子に接続される。図３Ａは、２つのタブの間の抵抗経路を制御するために、中間の小さな切断部により分離された、シートの同じ側に位置付けられた２つのタブを示す図である。図３Ｂは、２つのタブが対向する側に位置付けられた状態を示す図である。図３Ｃは、２つのタブが、同じ側に外縁に向かって位置付けられた状態を示す図である。図３Ｄは、対向する側にある２つのタブが外縁に向けられた状態を示す図である。
【図３−２】図３Ｅは、パターニングされた抵抗器シートを示す図である。図３Ｆは、選択的コーティングを持つ抵抗器シートを示す図である。
【図４】本開示の実施形態による、１つの抵抗器シート／箔が２つのセルの間にあるツインセルバッテリーモジュールの構成、即ち、各セルケーシングの外側がバッテリーの電解質と直接接触していない構成を示す図である。
【図５】本開示の実施形態による、ハードケース内に挿入する前のまたはパウチセルにパックする前の、１つの抵抗器シート／箔を挟む１対のジェリーロールを示す図である。
【図６】本開示の実施形態による、パウチセル内に含有された展開状態のジェリーロールを示す概略図であり、正電極シートは、正端子（＋）が形成されるように、一緒に溶接されたいくつかの密接配置されたタブを有し、負電極シートは、低抵抗端子ＬｏＲ（−）が形成されるように、一緒に溶接されたいくつかの密接配置されたタブ、ならびに高抵抗端子ＨｉＲ（−）を形成する遠位タブを有する。ＬｏＲ（−）端子は、熱により能動化されるスイッチによって、ＨｉＲ（−）端子と接続される。
【図７】本開示の実施形態による、展開状態のジェリーロールの異なるデザインであって、いくつかの密接配置されたタブと遠位タブとをそれぞれ特徴とする正電極シートおよび負電極シートの両方を持つデザインを示す図である。このデザインは、セルケーシングの外側に４つの端子、即ち、２つの正端子、ＬｏＲ（＋）およびＨｉＲ（＋）と、２つの負端子、ＬｏＲ（−）およびＨｉＲ（−）とを有する。両側にある２つのスイッチは、バッテリー温度および切換えアルゴリズムに応じて内部抵抗の３つ以上のレベルを提供する。
【図８】本開示の実施形態による、１つまたは複数の抵抗器シートを有する平らなジェリーロール電極アセンブリを示す図である。
【図９】本開示の実施形態による、１つまたは複数の抵抗器シートを有する平らなジェリーロール電極アセンブリを示す図である。
【図１０】本開示の実施形態による、１つまたは複数の抵抗器シートを有する平らなジェリーロール電極アセンブリを示す図である。
【図１１】図１１Ａ〜１１Ｂは、本開示の実施形態による、２６Ａｈ全天候型バッテリー（ＡＣＢ：all climate battery）の、−３０℃からの１Ｃ放電挙動を示す、一連のグラフである。図１１Ａは、ＡＣＢの１Ｃ放電曲線を従来のＬｉイオンバッテリー（ＬｉＢ）と−３０℃で比較した図である。図１１Ｂは、ＡＣＢと従来のＬｉＢとの間で、時間に対するバッテリー温度の進展を比較した図である。
【図１２】図１２Ａ〜１２Ｂはそれぞれ、ＡＣＢおよび従来のＬｉＢの両方に関し、周囲温度の関数としてバッテリー容量およびエネルギーを示す図である。
【図１３】図１３Ａ〜１３Ｃは、ハイブリッド電力パルス特徴付け（ＨＰＰＣ：hybrid power pulse characterization）試験下の、−３０℃でのＡＣＢの電力性能を示す、一連のグラフである。図１３Ａは、ハイブリッド電力パルス特徴付け（ＨＰＰＣ）試験の電流プロファイルを示す図である。図１３Ｂは、ＨＰＰＣ試験での、ＡＣＢの２６Ａｈの電圧応答を示す図である。図１３Ｃは、−３０℃での２６Ａｈ  ＡＣＢの、放電および充電電力を示す図である。
【発明を実施するための形態】
【００１５】
本開示は、従来の再充電可能バッテリーに比べ、氷点下の温度で、改善された電力およびエネルギーを提供することができる、再充電可能バッテリーに関する。そのようなバッテリーを、本明細書では全天候型バッテリー（以下「ＡＣＢ」とも称する。）と呼ぶ。本明細書で使用されるバッテリーという用語は、１つまたは複数の電気化学セルを含有する任意の再充電可能な電気化学エネルギー貯蔵デバイスを表す。バッテリーセルの基本要素には、集電器（current collector）上にコーティングされたアノード電極、セパレーター、別の集電器上にコーティングされたカソード電極、および電解質（electrolyte）が含まれる。
【００１６】
本開示の一態様では、再充電可能バッテリーは、バッテリー性能を制御する電気化学的および輸送プロセスを大幅に改善することができるように、低い周囲温度でバッテリーセル内での内部加熱を増幅することができる。バッテリーの内部加熱は、部分的には、バッテリーのセルの１つまたは複数を加熱するための１つまたは複数の抵抗器シートと、バッテリー温度に応じて高抵抗または低抵抗でバッテリーを動作可能にするスイッチとを用いて、バッテリーを構成することにより対処することができる。
【００１７】
本開示のバッテリー構成は、これらに限定されないが、リチウムイオン、リチウム−ポリマー、鉛−酸、ニッケル−金属水素化物、ニッケル−マンガン−コバルト、リチウム−硫黄、リチウム−空気、および全ての固体バッテリーなど、様々なバッテリーに適用することができる。再充電可能バッテリーは、例えば、パウチ、円筒状、プリズム状、または角のある形の形態をとることができる。そのようなバッテリーは、輸送、航空宇宙、軍事、および固定エネルギー貯蔵の適用例に有用である。
【００１８】
本開示の全天候型バッテリーの利点は、バッテリーの内部抵抗が、通常の動作温度よりも低い温度、例えば５℃未満または氷点下の温度（約０℃未満、例えば約−１０℃、−２０℃、−３０℃、または−４０℃未満の温度）で非常に高くなることである。バッテリーの高い内部抵抗は、バッテリー内で熱を生成し、この熱を、バッテリーを温めるのに使用することができる。好ましくは、バッテリーの内部抵抗は、数秒以内にまたは最長で数分以内に、摂氏数十度だけバッテリーを急速に温めるのに十分高くなる。バッテリー温度が、０℃からバッテリーの通常の動作温度、典型的には約５℃またはそれ以上の間の範囲に到達した後、高内部抵抗は非能動化（deactivate）され、ＡＣＢを低い内部抵抗モードで、従来のバッテリーと同程度に低い状態で動作させ、それによってバッテリーは、非常に低い周囲温度環境にあるにも関わらず、高い電力およびエネルギーを提供することが可能になる。有利には、本開示の再充電可能バッテリーは、温度と共にバッテリーの内部抵抗を変化させる電圧ブースターを必要としない。例えば、本開示の再充電可能バッテリーは、実施形態として、温度と共にバッテリーの内部抵抗を変化させるよう抵抗器に電力を送るための変圧器もＤＣ／ＤＣ変換器も含まない。
【００１９】
本開示の態様では、再充電可能バッテリーは、第１の温度（Ｔ１）から第２の温度（Ｔ２）の間のバッテリーの温度範囲全体にわたる１つのレベルの内部抵抗（Ｒ１）と、Ｔ１またはＴ２のいずれかの外側での第２のレベルの内部抵抗（Ｒ２）とを含む。いくつかの実施形態では、Ｒ２の値がＴ１よりも約２℃低い温度で決定されかつＲ１がＴ１で決定される場合、Ｒ２／Ｒ１の値は２から５００の間でありかつこれらの値を含み、例えばＲ２／Ｒ１の値は、２から１００の間または２から５０の間でありかつこれらの値を含む。追加のまたは代替の実施形態では、Ｒ２の値がＴ２よりも約２℃高い温度で決定されかつＲ１がＴ２で決定される場合、Ｒ２／Ｒ１の値は２から５００の間でありかつこれらの値を含み、例えばＲ２／Ｒ１の値は、２から１００の間または２から５０の間でありかつこれらの値を含む。追加のまたは代替の実施形態では、Ｔ１は約５℃未満であり、例えば、好ましくは約０℃、−１０℃、−２０℃、−３０℃、または−４０℃未満であり；Ｔ２は、所与の再充電可能バッテリーのおよそ通常のまたは最適な動作温度よりも高い温度、例えば約５０℃超である。
【００２０】
そのようなバッテリーの例としては、Ｔ１からＴ２の間で、Ｒ１で、例えば低内部抵抗レベル（ＬｏＲ）でバッテリーを動作させるための、少なくとも１つの負端子および少なくとも１つの正端子と、バッテリー温度がＴ１またはＴ２のいずれかの外側にあるときに、Ｒ２で、例えば高内部抵抗レベル（ＨｉＲ）でバッテリーを動作させるための、少なくとも１つの高抵抗端子とを含む再充電可能バッテリーなどがある。高抵抗端子は、追加の負端子（即ち、ＨｉＲ（−））または追加の正端子（即ち、ＨｉＲ（＋））のいずれかであり得る。
【００２１】
そのような再充電可能なバッテリーは、バッテリーの抵抗レベルを切り換えるスイッチを含むことができる。例えばスイッチは、バッテリーの温度がＴ１からＴ２の間にあるときにバッテリーを動作させるように、バッテリーの低抵抗端子、例えばＬｏＲ（−）および／またはＬｏＲ（＋）に係合することができ、バッテリー温度がＴ１またはＴ２のいずれかの外側にあるときに、１つまたは複数の高抵抗端子、例えばＨｉＲ（−）および／またはＨｉＲ（＋）に係合することができる。
【００２２】
本開示のスイッチは、例えば、凍結によって膨張しかつスイッチを押して開放するグリコール−水の液体カプセル、Ｔ１もしくはＴ２でまたはその両方で相転移および目に見えるほどの体積変化を受ける相変化材料、またはバイメタルスイッチ、またはその体積が温度Ｔ１もしくはＴ２でまたはその両方で目に見えるほど膨張する固体材料などの、感熱式デバイスによって能動化されたものを含むことができる。
【００２３】
本開示のスイッチは、電気化学的継電器および温度制御器で、または温度センサーを備えた固体継電器、温度センサーを備えたパワーＭＯＳＦＥＴ、または温度センサーを備えた高電流スイッチで構成することができる。あるいは、ＬｏＲ（−）およびＨｉＲ（−）端子を接続するスイッチは、バッテリー管理システム内に電気回路およびセル温度センサーを有する制御器によって実行することができる。
【００２４】
本開示の実施形態では、再充電可能なバッテリーは、高抵抗端子に電気接続される少なくとも１つの抵抗器シートを含む。少なくとも１つの抵抗器シートは、バッテリーセルの内側（電解質に曝される）もしくは２つのバッテリーセルの外側および間に位置付けることができ、またはいくつかの抵抗器シートの組合せをセルの内側に、またいくつかの抵抗器シートをセルの外側に位置付けることができる。さらに、バッテリーのセルと共に構成された抵抗器シートは、バッテリーのセルの電極の集電器の一体化部分であり得る。
【００２５】
本明細書で使用される抵抗器シートは、バッテリーの電極の非変性集電箔（unmodified current-collecting foil）に類似のまたはより低い電気伝導度を有するが、バッテリー動作中に能動化された場合にはバッテリーの内部電気抵抗の著しい増大を引き起こす材料である。抵抗器シートは、好ましくは、０．１から５の間の数値を、アンペア・時（Ａｈ）を単位とするバッテリーの容量で割った値に等しい、オームを単位とする抵抗を有し、例えば、約０．５から２の間の値を、Ａｈを単位とするバッテリーの容量で割った値を有する。例えば、２０Ａｈバッテリーに関する抵抗器シートは、好ましくは約０.００５オーム（０．１を２０で割った値）から約０．２５オーム（５を２０で割った値）の間、例えば約０．０２５オーム（０．５を２０で割った値）から約０．１オーム（２を２０で割った値）の間である。
【００２６】
本開示の抵抗器シートは、バッテリー電解質に曝されたときに安定であり、かつ抵抗器シートがそのような環境に曝されたときに全天候型バッテリーの電気化学的電圧窓の範囲内にある、任意の十分に伝導性のある材料であり得る。そのような抵抗器シートは、例えば、黒鉛、高配向熱分解黒鉛（ＨＯＰＧ：highly ordered pyrolytic graphite）、ステンレス鋼、ニッケル、クロム、ニクロム、銅、アルミニウム、チタン、またはこれらの組合せで作製することができる。バッテリーセルの外側で、およびモジュール内の２つの隣接するセルの間で使用される場合、抵抗器シートは耐腐食性である必要はなく、したがって、本開示の抵抗器シートとして使用される追加の材料が利用可能である。ある実施形態では、本開示の抵抗器シートは、好ましくは平らで表面積が広く、したがって隣接するバッテリー構成要素と良好な接触を持つことができる。本開示の抵抗器シートは、約１マイクロメートルから約１５０マイクロメートルの間の厚さを有することができ、好ましい範囲は約５から約６０マイクロメートルである。大きい電気抵抗、高い熱伝導度、および小さい熱容量を有する抵抗器シートは、本開示のある実施形態に有用である。
【００２７】
抵抗器シートの抵抗は、シートをパターニングすることによって、即ち、抵抗器シートから材料を除去することによって、調節することができる。パターニングによって、抵抗器シートは、機械的強度および溶接可能性に十分なしかし低抵抗になる厚さを有することが可能になる。丸みの付いた角を持つパターンには、パターンの角での温度蓄積が低減するという利点がある。パターニングされた抵抗器シートは、フォトエッチング、放電加工、ウォータージェット切断、レーザー切断、スタンピングなどによって製造することができる。
【００２８】
いくつかの実施形態では、抵抗器シートの表面のかなりの部分をコーティングして、電解質との望ましくない化学反応または電気接続を回避することができる。例えば、抵抗器シートは選択的にコーティングされてもよく、それらの表面の一部はその他のタブまたは端子との電気接続用にコーティングされずかつその表面の残りの部分はコーティングされ、したがって電気的および化学的に隔離される。保護コーティングは、開始時に抵抗器シートの全面を完全に覆うように付着させることができ、次いである領域のコーティングを選択的に除去して、その他のタブまたは端子との必要な電気接続を可能にすることができる。保護コーティングは、バッテリーセル内では熱伝導性、電気絶縁性、および化学的安定性にすべきである。このコーティングは、ポリマー、金属酸化物などで作製することができる。保護コーティングに関するポリマー材料の例には：ポリエチレン、ポリプロピレン、塩素化ポリプロピレン、ポリエステル、ポリイミド、ＰＶＤＦ、ＰＴＦＥ、ナイロン、またはこれらのコポリマーが含まれる。保護コーティングに関する金属酸化物材料の例には、Ｍｇ、Ａｌ、Ｔｉ、Ｖ、Ｃｒ、Ｍｎ、Ｆｅ、Ｃｏ、Ｎｉ、Ｃｕ、Ｚｎ、およびこれらの組合せの酸化物が含まれる。保護コーティングは、高誘電率を有することが好ましい。いくつかの実施形態では、接着剤を、抵抗器シートと保護コーティングとの間に使用してもよい。保護コーティングの厚さは、１０ｎｍから１００μｍの間であってもよく、好ましくは１０ｎｍから５０μｍの間である。コーティングは、良好な熱伝達が可能になるよう十分薄くするべきであるが、抵抗器シートをバッテリーセル内での電解質との接触から保護するのに影響を受けないものにすべきである。保護コーティングは、テーピング、ラミネート、浸漬コーティング、スピンコーティング、噴霧コーティング、化学気相成長、原子層堆積、溶液流延、電着、自己組織化単層、立体リソグラフィー、表面酸化などの方法によって、抵抗器シート上に付着させてもよい。
【００２９】
本開示のある構成では、再充電可能なバッテリーは、１つまたは複数の高抵抗タブまたは端子と、１つまたは複数の低抵抗タブまたは端子とを含む。高抵抗端子は、１つまたは複数の抵抗シートを電気接続し、低抵抗タブまたは端子は、低内部抵抗モードでバッテリーを動作させるように構成される。
【００３０】
有利には、本開示の再充電可能バッテリーは、ある実施形態では、従来の再充電可能バッテリーの構成要素を用いて、修正を最小限に抑えて、容易に構成することができる。大まかに言えば、リチウムイオンバッテリーなどの従来のバッテリーは、積層されまたはジェリーロール（jelly role）状に巻かれ且つパウチカバーまたはハードケースにパックされることができるアノード電極、セパレーターおよびカソード電極のうちの１つまたは複数のシートを含む。次いでパウチまたはケースは電解質で満たされる。カソード活物質（cathode active materials）は、例えば、リチウムコバルト酸化物、リチウム鉄ホスフェート（phosphate）、リチウムマンガン酸化物、リチウムニッケル−コバルト−マンガン酸化物、リチウム過剰層状化酸化物、またはこれらの混合物などを含むことができる。アノード活物質（anode active materials）は、例えば、黒鉛、ケイ素、ケイ素合金、リチウム金属、チタン酸リチウムなどのリチウム合金、これらの混合物などを含むことができる。
【００３１】
例えば、従来のリチウムイオンバッテリーは、正電極、負電極、セパレーター、正電極集電器、負電極集電器、電解質、およびバッテリーカバーまたはカンを含む。１つの集電箔（例えば、Ａｌ箔）上にコーティングされた正電極、および別の集電箔（例えば、Ｃｕ箔）上にコーティングされた負電極は、それらの間に介在させたセパレーターと共に積層されまたは巻かれ、電解質が溶媒に溶解している電解質溶液が、セパレーターおよび２つの多孔質電極に含浸される。
【００３２】
正電極および負電極は共に、必要に応じて前述の活物質、結合剤、および伝導剤を含む。共通の結合剤は、ＰＶＤＦ（ポリフッ化ビニリデン（Polyvinylidene fluoride））、およびスチレン−ブタジエンゴム（ＳＢＲ）、並びにカルボキシメチルセルロース（ＣＭＣ）のナトリウム塩を含む。伝導剤は、通常、炭素をベースにしており、活物質と混合されて電極伝導度を増大させる。
【００３３】
ＬｉＰＦ６、ＬｉＢＦ４などのリチウム塩は、単独でまたは組み合わせて、電解質として使用することができる。鎖状カーボネート（chained carbonate）、環状カーボネート（annular carbonate）、環状エステル、およびニトリル化合物などを、リチウム塩を溶解するのに使用される溶媒として使用することができる。それらの具体的な例には、エチレンカーボネート（ＥＣ）、エチルメチルカーボネート（ＥＭＣ）、ジメチルカーボネート（ＤＭＣ）、プロピレンカーボネート（ＰＣ）、ジエチルカーボネート、ジメトキシエタンなどが含まれる。さらに、ポリマー−ゲル電解質または固体電解質を電解質として使用することができる。
【００３４】
本開示の再充電可能バッテリーは、再充電可能バッテリーの従来の構成要素を含むことができ、さらに、例えば１つまたは複数の抵抗器シートに接続された１つまたは複数の高抵抗端子を含むことができる。１つまたは複数の抵抗器シートは、バッテリー内で熱が発生するように、バッテリーのセル内またはバッテリーのセル間に、またはそれらのいくつかの組合せで位置決めすることができる。下記の図は、本開示のある実施形態を例示する。
【００３５】
図１および２は、本開示の実施形態を示す。図１に示されるように、再充電可能なバッテリー１１０は、電極−セパレーターアセンブリの積層体内に埋め込まれたいくつかの抵抗器シート１１２を有する。電極−セパレーターアセンブリは、アノードタブ１１４ａを有するアノード電極１１４、セパレーター１１６、およびカソードタブ１１８ａを有するカソード電極１１８を含む。バッテリー１１０は、１つの低抵抗負端子ＬｏＲ（−）１２０および１つの高抵抗負端子ＨｉＲ（−）１２２、スイッチ１２４、および正端子（＋）１２６をさらに含む。
【００３６】
この実施形態では、各抵抗器シートは、溶接によって取着することができる２つのタブ（１１２ａ、１１２ｂ）を有する。抵抗器タブ１１２ａおよびアノード電極１１４のアノードタブ１１４ａは、低抵抗負端子ＬｏＲ（−）１２０に電気接続されて、低電気抵抗回路を形成する。抵抗器タブ１１２ｂは、高抵抗負端子ＨｉＲ（−）１２２に電気接続されて、スイッチ１２４によって能動化される高電気抵抗レベル回路を形成する。カソード電極１１８のカソードタブ１１８ａは、一緒に正端子１２６に電気接続される。この特定の例では、スイッチ１２４は、ＬｏＲ（−）端子１２０およびＨｉＲ（−）端子１２２を電気接続しまたは接続解除することができる、熱により能動化されるスイッチである。
【００３７】
アノード−セパレーター−カソード−抵抗器シートアセンブリは、適切なパッケージ内に、例えばパウチセルのケーシング内に配置し、電解質で満たすことができる。この実施形態では、アノード−セパレーター−カソード−抵抗器シートアセンブリは、ケーシング１４０に収容される。負および正端子は、外部回路１２８ａおよび１２８ｂに電気接続することができる。
【００３８】
まとめると、図１に示される再充電可能なバッテリーは、ケーシング１４０の外側の３つの端子、２つの負端子ＬｏＲ（−）およびＨｉＲ（−）と１つの正端子（＋）とを特徴とする。２つの負端子ＬｏＲ（−）およびＨｉＲ（−）は、バッテリーのすぐ外側の温度感受性スイッチによって、さらに接続される。動作中、バッテリー温度が、第１の温度Ｔ１から第２の温度Ｔ２の間と定義される通常の動作範囲内にある場合、スイッチはＣＬＯＳＥＤ状態にあり、バッテリー電流は、電流が低抵抗回路内を流れることを好むことから抵抗器シートをバイパスする。この場合、バッテリーは、端子（＋）とＬｏＲ（−）との間で動作し、低内部抵抗を示す。バッテリー温度がＴ１およびＴ２の通常範囲外に達した場合、スイッチはＯＰＥＮ状態になり、端子（＋）およびＨｉＲ（−）を動作可能なままにする。これにより、バッテリー電流は抵抗器シート内を強制的に流れ、したがって高内部抵抗を示す。例えば、バッテリー温度が通常範囲よりも低く、例えば約５℃よりも低い場合または氷点下環境で、バッテリーの内部抵抗は、電流流路における抵抗器シートの存在に起因して数倍高くなる。動作しまたは能動化した後は、強力な内部加熱が存在し（バッテリーの発熱がその内部抵抗に比例するため）、温度感受性スイッチがＣＬＯＳＥＤになる点まで、バッテリー温度の急速な上昇をもたらす。ＣＬＯＳＥＤスイッチは、ＬｏＲ（−）端子を即座に動作させることができ、バッテリーの内部抵抗を低下させる。低内部抵抗と高内部温度との組合せは、氷点下環境での動作にも関わらず、バッテリーの電力およびエネルギー出力を実質的に改善する。
【００３９】
図２は、バッテリー内部で熱を発生させるために、少なくとも１つの抵抗器シートが電極−セパレーターアセンブリの積層体の間に挿入されている、再充電可能なバッテリーの別の構成を示す。この実施形態では、再充電可能なバッテリー２１０は、２つの電極−セパレーターアセンブリ２１３ａおよび２１３ｂの間に位置決めされた抵抗器シート２１２を含む。抵抗器シートは、好ましくは、より均一な加熱のために電極の積層体の中間に位置決めされ、セパレーター２１６と同じまたは異なっていてもよいセパレーター２１７によって挟むことができる。各電極−セパレーターアセンブリは、アノード電極２１４、セパレーター２１６、およびカソード電極２１８を含む。バッテリー２１０は、１つの低抵抗負端子ＬｏＲ（−）２２０、１つの高抵抗負端子ＨｉＲ（−）２２２、スイッチ２２４、および正端子（＋）２２６をさらに含む。
【００４０】
この実施形態では、抵抗器シート２１２は、溶接によって取着することができる２つのタブ（２１２ａ、２１２ｂ）を有する。抵抗器タブ２１２ａおよびアノード電極２１４のアノードタブ２１４ａは、低抵抗負端子ＬｏＲ（−）２２０に電気接続されて低電気抵抗回路を形成する。抵抗器タブ２１２ｂは、高抵抗負端子ＨｉＲ（−）２２２に電気接続されて、スイッチ２２４により能動化される高電気抵抗レベル回路を形成する。カソード電極２１８のカソードタブ２１８ａは、一緒に正端子２２６に電気接続される。この特定の例において、スイッチ２２４は、ＬｏＲ（−）端子２２０およびＨｉＲ（−）端子２２２を電気接続しまたは接続解除することができるスイッチであって、熱により能動化されるスイッチである。
【００４１】
アノード−セパレーター−カソード−抵抗器シートアセンブリは、適切なパッケージ内に、例えばパウチセルのケーシング内に配置し、電解質で満たすことができる。この実施形態では、アノード−セパレーター−カソード−抵抗器シートアセンブリは、ケーシング２４０内に収容される。負および正端子は、外部回路２２８ａおよび２２８ｂに電気接続することができる。図２の再充電可能なバッテリー２１０は、図１に関して記述されたものと同じ手法で動作することができる。
【００４２】
図３は、図１および２で示した構成を含めた、本開示の再充電可能なバッテリーで使用することができる、種々の抵抗器シート構成を示す。各抵抗器シート、３１０、３２０、３３０、３４０、３５０、３６０は、溶接によって取着することができる２つのタブを有する。様々な抵抗器シート上のタブは、図３に示されるように様々な構成で位置決めすることができる。これらの構成は：（ａ）切断部３１４によって切り離された、同じ側にある２つのタブ（３１１、３１２）；（ｂ）抵抗器シートの反対側にありかつ縁部のほぼ中間に位置付けられた２つのタブ（３２１、３２２）；（ｃ）および（ｅ）同じ側にあるが、抵抗器シートの外縁上にあり、切断部３３４により切り離された、２つのタブ（３３１、３３２）；ならびに（ｄ）および（ｆ）抵抗器シートの反対側にあるが、外縁上にある２つのタブ（３４１、３４２）を含む。
【００４３】
いくつかの実施形態では、抵抗器シートの抵抗は、パターニングを通して調節することができる。そのようなパターニングは、シートをより薄くすることでシートの抵抗を調節した結果その他のタブを備えた抵抗器シートの機械的強度または溶接可能性に悪影響を与える可能性がある場合よりも、厚い抵抗器シートを可能にする。パターニングする場合、ホットスポットが最小限に抑えられるように、真っ直ぐな角よりも丸みの付いた角が好ましい。パターニングされた抵抗器シートは、フォトエッチング、放電加工、ウォータージェット切断、レーザー切断、スタンピングなどによって製造することができる。図３Ｅは、本開示の再充電可能なバッテリーで使用することができる、パターニングされた抵抗器シートを示す。図３Ｅは、同じ側にあるが抵抗器シートの外縁上にある２つのタブ（３３１、３３２）であって、シートの内部から材料も除去されており（即ち、概略パターン３５２）丸みの付いた角（３５４）を有するタブを示す。その他の実施形態では、またはその他の実施形態との組合せでは、抵抗器シートに、バッテリーセル内で熱伝導性、電気絶縁性、および化学的安定性であるポリマーまたは酸化物の薄層をコーティングすることができる。図３Ｆは、シートの両方の長辺側にコーティングを有する抵抗器シートを示す。この特定の実施形態では、コーティングは、抵抗器シート（３６４）を完全に取り囲むが、タブ（３４１、３４２）を露出させるラミネート（３６２）である。
【００４４】
本開示の一実施形態では、図３に示される抵抗器シートの１つまたは複数を、図１または２の構成に使用することができる。例えば、図３における任意の抵抗器シートの場合、Ｔａｂ１と標識されたタブは、バッテリー内のアノード電極シートの全てのタブと接続（例えば、溶接）することができる。一緒にすると、それらは図１または図２における低抵抗端子ＬｏＲ（−）を形成する。図３に示されるＴａｂ２は、一緒に溶接して、図１または図２のいずれかにおける高抵抗端子ＨｉＲ（−）を形成することができる。
【００４５】
本開示のその他の実施形態では、再充電可能なバッテリーは、バッテリーのセルの外側に１つまたは複数の抵抗器シートを配置することによって構成することができる。例えば、多数のセルを含むバッテリーモジュールにより、１つまたは複数の抵抗器シートを、バッテリーモジュール内の２つの隣接するセルの間に挟むことができる。図４は、そのような実施形態を示す。
【００４６】
図４に示されるように、バッテリーモジュール４１０は、２つのセル４１３ａおよび４１３ｂの間に位置決めされた抵抗器シート４１２を含む。抵抗器シートは、好ましくは、２つのセルの間に緊密に介在させるなど、セルの均一な加熱をもたらすためにセルおよびバッテリーモジュールの間に位置決めされる。各セルは、アノード電極４１４、セパレーター４１６、およびカソード電極４１８を含む。バッテリーモジュール４１０は、モジュールの各セルに電気接続された１つの低抵抗負端子ＬｏＲ（−）４２０と、抵抗器シートに電気接続された１つの高抵抗負端子ＨｉＲ（−）４２２とをさらに含む。バッテリーモジュールは、スイッチ４２４と、正端子（＋）４２６ａおよび４２６ｂも含む。負および正端子は、外部回路４２８ａおよび４２８ｂに電気接続することができる。図４の再充電可能なバッテリーのモジュール４１０は、図１に関して記述されたものと同じ手法で動作することができる。
【００４７】
図４におけるバッテリーモジュール４１０は、１つの抵抗器シートが２つのセルの間にあるツインセルモジュールとして示されるが、本開示のバッテリーモジュールは、３つ以上のセルおよび／またはセルモジュールの中間に位置決めされた複数の抵抗器シートを有することができる。例えば、バッテリーモジュールは、４、５、または６個のセルを有することができ、１つまたは複数の抵抗器シートがセルの間およびセル付近のその他の位置の周りに位置決めされている。
【００４８】
本開示の一実施形態では、図３に示される抵抗器シートの１つまたは複数を、図４の構成で使用することができる。例えば、図３における任意の抵抗器シートの場合、Ｔａｂ１と標識されたタブをセルの負端子に接続することができ、バッテリーモジュール用の低抵抗端子ＬｏＲ（−）が形成される。図３に示される抵抗器シートのいずれかのＴａｂ２を一緒に溶接して、バッテリーモジュールの高抵抗端子ＨｉＲ（−）を形成することができる。このようなバッテリーモジュールの能動化および動作は、既に述べた単一セルの場合と同じである。
【００４９】
本開示の別の実施形態では、１つまたは複数の抵抗器シートを、再充電可能なバッテリーの電極−セパレーターアセンブリの２つのジェリーロール（jelly rolls）の間に挟むことができる。図５は、そのような実施形態を示す。図５に示されるように、抵抗器シート５１２は、２つのジェリーロール（５１３ａ、５１３ｂ）の間に挟まれる。この実施形態におけるデザインは、ジェリーロール電極アセンブリを含有する任意の従来の再充電可能なバッテリーと共に使用することができる。図５にさらに示されるように、電気的抵抗器シート５１２は、溶接によって取着することができる２つのタブ（５１２ａ、５１２ｂ）を有する。抵抗器タブ５１２ａは、ジェリーロールのアノード電極（例示を簡便にするために図示していない）のアノードタブ５１４ａに、および低抵抗負端子ＬｏＲ（−）（図示せず）に電気接続されて、低電気抵抗回路を形成する。抵抗器タブ５１２ｂは、高抵抗負端子ＨｉＲ（−）（図示せず）に電気接続されて、高電気抵抗レベル回路を形成する。ジェリーロールのカソード電極のカソードタブ５１８ａは、一緒に正端子（例示を簡便にするために図示していない）に電気接続される。この実施形態における再充電可能なバッテリーは、ＬｏＲ（−）端子およびＨｉＲ（−）端子を電気接続しまたは接続解除することができるスイッチを、バッテリーの外側に含んでいてもよい。図５の再充電可能なバッテリー５１０は、図１に関して記述したものと同じ手法で動作することができる。
【００５０】
図５におけるバッテリー構成は、１つの抵抗器シートが２つのジェリーロールの間にあるものとして示されるが、本開示の再充電可能なバッテリーは、３つ以上のジェリーロール、および／またはジェリーロールの中間に位置決めされた複数の抵抗器シートを有することができる。さらに、１つまたは複数の抵抗器シートを、ポリマーまたは酸化物の薄層でコーティングして、このシートをバッテリー内の電解質から隔離することができる。例えばバッテリーは、３つ以上のジェリーロールを有することができ、１つまたは複数の抵抗器シートが、１対のジェリーロールの間および／またはジェリーロールのそれぞれもしくはいくつかの付近のその他の位置の周りに位置決めされる。
【００５１】
本開示の一実施形態では、図３に示される抵抗器シートの１つまたは複数を、図５の構成に使用することができる。例えば、図３における任意の抵抗器シートの場合、Ｔａｂ１と標識されたタブをセルの負端子に接続し、バッテリー用の低抵抗端子ＬｏＲ（−）を形成することができる。図３に示される抵抗器シートのいずれかのＴａｂ２は、一緒に溶接して、バッテリーの高抵抗端子ＨｉＲ（−）を形成することができる。そのようなバッテリーの能動化および動作は、図１のバッテリーに関して記述されたものと同じである。
【００５２】
本開示の実施形態では、再充電可能なバッテリーは、バッテリーの高い電気内部抵抗レベルを生成するのに個別の抵抗器シートを使用せずに構築することができる。例えば、高電気抵抗回路は、バッテリーのセルの電極の集電器の一体的部分になるよう構成することができる。本開示の一実施形態では、再充電可能なバッテリーは、Ｔ１からＴ２上のＲ１で、バッテリーを動作させるための少なくとも１つの負端子および少なくとも１つの正端子と；Ｔ１またはＴ２のいずれかの外側のＲ２でバッテリーを動作させるための、少なくとも１つの高抵抗端子（例えば、追加の負または正端子）と；バッテリーの温度がＴ１またはＴ２のいずれかの外側であるときに、Ｒ２を能動化するスイッチとを含み、少なくとも１つの高抵抗端子は、バッテリーのセル内の少なくとも１つの抵抗器シートに電気接続され、少なくとも１つの抵抗器シートは、バッテリーのセルの電極の集電器の一体化部分である。
【００５３】
図６は、そのような実施形態を示す。図６は、アノード電極６１４、セパレーター６１６、およびカソード電極６１８を含むアセンブリを示す。このアセンブリは、セルケーシング内のジェリーロールのデザインなど、広く様々な再充電可能なバッテリー構成に適用可能である。この実施形態では、カソード（正）電極６１８は、端子（＋）６２６が形成されるように電気接続される（一緒に溶接される）、いくつかの密接配置されたタブ６１８ａを含む。一方、アノード（負）電極６１４は、端子ＬｏＲ（−）６２０が形成されるように一緒に電気接続された、数個の密接配置されたタブ（６１４ａ）と、最近接のタブ６１４ａから少し離れたタブ６１４ｂとを含む。タブ６１４ｂは、高電気抵抗端子に電気接続することができる。この例では、タブ６１４ｂは、高電気抵抗端子ＨｉＲ（−）を形成する。
【００５４】
このデザインでは、タブ６１４ｂ（遠位タブ）と、密接配置されたタブの最も近接したもの（タブ６１４ａ）との間の負電極箔、即ちＣｕ箔の部分は、バッテリー温度が通常範囲よりも低いとき、即ちＴ１よりも低いときに動作可能となるように、大きい抵抗として作用する。言い換えれば、タブ６１４ａと６１４ｂとの間の材料（６３０と示される）は、このバッテリーのデザインでは抵抗器シートとして作用する。セルケーシングの外側では、端子ＬｏＲ（−）およびＨｉＲ（−）を、スイッチ６２４、例えば温度感受性スイッチを介して電気接続し接続解除することができる。図６に示される構成を持つバッテリーの能動化および動作は、図１におけるバッテリーに関して記述されたものと同じ手法で行うことができる。
【００５５】
要素６３０の電気抵抗は、とりわけ、タブ６１４ｂと最近接タブ６１４ａとの間の距離と、集電器を形成するのに使用される材料、例えば箔の組成、および２つのタブの間の箔上の任意の材料、および高抵抗端子の所望の抵抗レベルとに依存することになる。再充電可能なバッテリーの電極は、典型的には、集電器上に、結合剤および／または伝導性希釈剤を用いてまたは用いずに、１つまたは複数の電気化学的活物質をコーティングすることによって形成される。そのような材料は、要素６３０の電気抵抗にも影響を及ぼす可能性がある。
【００５６】
図７は、バッテリーのセルの電極の集電器の一体化部分である抵抗器シートを含む、本開示の再充電可能なバッテリーの、別の実施形態を示す。この実施形態では、アノード電極７１４、セパレーター７１６、およびカソード電極７１８を含むアセンブリが示される。図６の構成に関して記述したように、図７に示されるアセンブリは、広く様々な再充電可能なバッテリー構成に適用可能である。この例では、カソードおよびアノード電極は共に、端子ＬｏＲ（＋）およびＬｏＲ（−）が形成されるよう電気接続された、いくつかの密接配置されたタブ、ならびにＨｉＲ（＋）およびＨｉＲ（−）を形成するための遠位タブを有する。詳細には、カソード（正）電極７１８は、端子（＋）７２６が形成されるように電気接続された、いくつかの密接配置されたタブ７１８ａと、高電気抵抗端子ＨｉＲ（＋）を形成するための最近接タブ７１８ａからある距離に在るタブ７１８ｂとを含む。アノード（負）電極７１４は、端子ＬｏＲ（−）７２０が形成されるように一緒に電気接続された、数個の密接配置されたタブ（７１４ａ）と、高電気抵抗端子ＨｉＲ（−）を形成するための最近接タブ７１４ａからある距離に在るタブ７１４ｂとを含む。
【００５７】
このデザインにおいて、密接配置されたタブ群と遠位タブとの間の、負電極箔（即ち、Ｃｕ）および正電極箔（即ち、Ａｌ）の部分は、バッテリー温度が通常範囲よりも低いとき、即ちＴ１よりも低いときに動作可能になるように、大きい抵抗として作用する。言い換えれば、タブ７１４ａと７１４ｂとの間の材料（７３０ａで示す）と、タブ７１８ａと７１８ｂとの間の材料（７３０ｂで示す）は、このバッテリーデザインに関する抵抗器シートとして作用する。
【００５８】
セルケーシング７４０の外側では、２つの独立したスイッチ（７２４ａ、７２４ｂ）を使用して、端子ＬｏＲ（＋）をＨｉＲ（＋）と、またＬｏＲ（−）をＨｉＲ（−）とそれぞれ接続することができる。２つのスイッチは、同時にもしくは互いに独立して、またはバッテリー温度の関数としてアルゴリズムに従い動作することができる。そうでない場合には、図７に示される構成を持つバッテリーの能動化および動作は、図１におけるバッテリーに関して記述されたものと同じ手法で行うことができる。
【００５９】
タブの一方の群が低抵抗を提供しかつタブの他方の群が高抵抗を提供する限り、再充電可能なバッテリーのジェリーロール構成に対してより多くのタブのデザインが可能である。
【００６０】
本開示の別の実施形態では、１つまたは複数の抵抗器シートは、再充電可能なバッテリーのロール状電極アセンブリと共に含むことができる。図８、９、および１０は、１つまたは複数の抵抗器シートを有するジェリーロール状電極アセンブリの実施形態を示す。図８に示されるように、抵抗器シート８１２は、ジェリーロールアセンブリのほぼ中心の内部に含まれる。この実施形態では、抵抗器は、任意の電極に直接接触せず、セルの容量に悪影響を及ぼすべきでない。抵抗器シートは、ジェリーロールが組み立てられた後にまたはジェリーロールを組み立てる最中に挿入することができる。抵抗器シートは、ジェリーロールアセンブリの構造支持体として、有利に作用することもできる。この実施形態におけるデザインは、ジェリーロール電極アセンブリを含有する任意の従来の再充電可能なバッテリーと共に使用することができる。図８にさらに示されるように、ジェリーロールアセンブリ８１３は、集電器８１５上のアノード電極８１４、例えば銅箔と、第１のセパレーター８１６ａと、集電器８１９上のカソード電極８１８、例えばアルミ箔と、第２のセパレーター８１６ｂとをさらに含む。ジェリーロールアセンブリの多かれ少なかれ中心に抵抗器シートを有することに加え、抵抗器シートを、ジェリーロールの最外層上に含めることができる。ジェリーロールは、図８に示されるように、その形状を平らにすることができ、または円筒形にすることができる。
【００６１】
図９は、抵抗器シートを有するジェリーロール電極アセンブリの別の実施形態を示す。この実施形態では、一連の抵抗器シートが一連のジェリーロールアセンブリに巻き付けられる。図９に示されるように、抵抗器シート９１２ａおよび９１２ｂは、ジェリーロールアセンブリ９１３ａおよび９１３ｂに巻き付けられる。図９は、その外周に抵抗器シートをそれぞれ有する２つのジェリーロールアセンブリを示す。この構成は、追加のジェリーロールアセンブリにまで拡張することができ、その一部または全ては、その外周に抵抗器シートを有しており、その結果、一連のジェリーロールアセンブリに一連の抵抗器シートが巻き付けられたジェリーロールアセンブリが形成される。そのようなアセンブリは、ジェリーロールアセンブリを巻き、次いでその外周に抵抗器シートを巻き付け、その後、表面に抵抗器シートを持つまたは持たない状態で追加のジェリーロールアセンブリを巻き付けることによって製作することができる。
【００６２】
ジェリーロールアセンブリのそれぞれは、アノード電極、カソード電極、およびセパレーターを含む。例えば、ジェリーロールアセンブリ９１３ａおよび９１３ｂは、集電器９１５上のアノード電極９１４、例えば銅箔と、第１のセパレーター９１６ａと、集電器９１９上のカソード電極９１８、例えばアルミ箔とを含む。第２のセパレーターは、集電器９１９の後に含ませることができるが、これは図に示していない。抵抗器シートがジェリーロールの最外層に巻き付けられたことに加え、抵抗器シートを、最内ジェリーロールアセンブリの多かれ少なかれ中心に含めることができる。
【００６３】
図１０は、抵抗器シートを有するジェリーロール電極アセンブリの別の実施形態を示す。この実施形態では、１つまたは複数のジェリーロールアセンブリを保持する容器は、シートの形状でない場合であっても抵抗器シートとして作用することができる。図１０に示されるように、抵抗器シート１０１２は、２つのジェリーロールアセンブリ１０１３ａおよび１０１３ｂを取り囲む。抵抗器シート１０１２は、ジェリーロールアセンブリの最外層のかなりの部分に接触する内面１０１２ａを有する。抵抗器シートは、アセンブリを保持する容器、例えばスチール缶であり得る。この実施形態では、抵抗器シート１０１２は、２つのジェリーロールアセンブリを保持する２つの区画を有するように成形されるが、この実施形態は、抵抗器シート１０１２の内面がジェリーロールアセンブリの少なくとも１つのかなりの部分に接触し、この抵抗器シートが本開示で記述されるように機能することができる限り、そのような形状に限定するものではない。さらに、図１０の構成は、その一部または全てが１つもしくは複数の区画内に位置決めされまたは抵抗器シートに接触している追加のジェリーロールアセンブリにまで拡張することができる。
【００６４】
ジェリーロールアセンブリのそれぞれは、アノード電極、第１のセパレーター、カソード電極、および第２のセパレーターを含む。例えば、ジェリーロールアセンブリ１０１３ａおよび１０１３ｂは、集電器１０１５上のアノード電極１０１４、例えば銅箔と、第１のセパレーター１０１６ａと、集電器１０１９上のカソード電極１０１８、例えばアルミ箔とを含む。第２のセパレーターは、集電器９１９の後に含めることができるが、これは図に示されていない。抵抗器シート１０１２に加え、抵抗器シートを、この実施形態におけるジェリーロールアセンブリの１つまたは全ての、多かれ少なかれ中心に含めることができる。
【００６５】
図８、９、および１０におけるバッテリー構成は、非対称形状を有するジェリーロールとして示されるが、ジェリーロールおよび抵抗器シートは、対応する円筒状抵抗器シートを備えた円筒状ジェリーロールアセンブリのように、対称にすることができる。
【００６６】
図８、９、および１０に示される要素に加え、図８、９、および１０の構成を備えた作用バッテリーを形成するのに、追加の要素が含まれるが、例示を簡便にするためにこれらは図示しなかった。これらの要素は、例えば、高電気抵抗レベル回路の一部として抵抗器シートに電気接続された高抵抗端子；低電気抵抗回路が形成されるよう、抵抗器シートおよび電極の１つ、例えばアノードまたはカソード電極に電気接続された低抵抗端子；低抵抗および高抵抗端子を電気接続しまたは接続解除することができるスイッチを含む。それぞれ図８、９、および１０の再充電可能なバッテリー８１０、９１０、および１０１０は、例えば図１に関して記述されるものと同じ手法で動作することができる。
【００６７】
本開示の別の実施形態では、図３に示される抵抗器シートの１つまたは複数を、図８、９、および１０の構成に使用することができる。例えば、図３における任意の抵抗器シートの場合、Ｔａｂ１と標識されたタブを、セルの負端子に接続し、バッテリー用低抵抗端子、ＬｏＲ（−）を形成することができる。図３に示される抵抗器シートのいずれかのＴａｂ２を、一緒に溶接して、バッテリーの高抵抗端子、ＨｉＲ（−）を形成することができる。そのようなバッテリーの能動化および動作は、図１のバッテリーに関して記述されたものと同じである。
【００６８】
前述のバッテリーデザインの全ては、Ｌｉイオン、ニッケル−金属水素化物、鉛−酸などの、再充電可能なバッテリーに適用可能である。有利には、本開示の再充電可能なバッテリーは、再充電可能なリチウムイオン、ニッケル−金属水素化物、または先進リチウムバッテリー、例えばリチウム−硫黄、リチウム−ポリマー、リチウム−空気バッテリー、または全ての固体バッテリーなど、全てのバッテリーの化学的性質に合わせて、かつ全ての形状因子、パウチ、円筒状、プリズム状、または角のある状態に合わせて、実施することができる。図１〜１０に関して上で述べたセルのデザインを使用して、ひと組の端子に関して低内部抵抗（Ｒ１）を有しかつ第２の組の端子に関して高内部抵抗（Ｒ２）を有する全天候型バッテリーを製作することができる。セル構造は、他のデザインの中でもとりわけロール状電極および積層状電極のデザインに適応することができる。
【００６９】
本開示の一態様では、再充電可能バッテリーは、バッテリーの温度がＴ１からＴ２の間にあるときはＲ１で動作し、バッテリーの温度がＴ１またはＴ２のいずれかの外側にあるときは、Ｒ２を能動化するスイッチを能動化することによって、Ｔ１またはＴ２のいずれかの外側のＲ２で動作する。高抵抗レベル（Ｒ２）でのバッテリーの動作は、バッテリーの内部温度を上昇させるための定電圧−定電流（ＣＶＣＣ）サイクルを適用することを含むことができる。そのような能動化サイクルは、高抵抗モードでかつ低いセル電圧下でバッテリーを動作させることによって、大量の内部熱を発生させることができる。能動化サイクルは、定電圧下の後に定電流限界の下で、バッテリーを動作させることを含むことができる。ある実施形態では、定電圧は０．２から１Ｖの範囲に設定され、電流限界は１Ｃから１０Ｃの範囲に設定される（本明細書で定義されるＣ率は、アンペアを単位とする電流と、バッテリーの公称容量との比であり；１０Ａｈバッテリーに関しては、１Ｃは１０Ａを意味する）。好ましくは、定電圧は０．４Ｖから１．０Ｖに及び、電流限界は２Ｃから５Ｃ、例えば４Ｃである。
【実施例】
【００７０】
下記の実施例は、本発明のある好ましい実施形態をさらに示すものとし、本質的に限定するものではない。当業者なら、通常の実験方法を使用するだけで、本明細書に記述される特定の物質および手順の数多くの均等物を認識しまたは確認することができるであろう。
【００７１】
パウチセルの形態をとりかつリチウム−ニッケル−マンガン−コバルト（ＮＭＣ）カソードおよび黒鉛アノードで作製された、２６Ａｈのパイロット生産バッテリーを、図１に記述される構成に従い開発した。抵抗器シートは、長さ２５ｃｍ、幅６ｃｍ、厚さ１００μｍのステンレス鋼箔である。その抵抗は、約０．０５オームであり、その重量は約１３グラムであり、これは全バッテリー重量の約２．３％である。ＬｏＲ（−）端子とＨｉＲ（−）端子との間の切換えは、温度制御器により駆動される電気化学的継電器によって行われる。継電器は、約０℃で切り換わるように設定される。継電器は、約７グラムの重量である。試験前に、試験バッテリーを満充電し、次いで氷点下の温度に予め設定された熱チャンバー内に５〜６時間浸漬する。２６Ａｈ全天候型バッテリーの試験中、いくつかの熱電対をバッテリー上に取り付け、電圧計に接続して、継電器を駆動させる平均のバッテリー温度を読み取る。抵抗器箔および温度感受性スイッチがないがその他の点では同一のままである、ベースラインのセルについても、比較研究のために試験をした。
【００７２】
−３０℃からの１Ｃ放電に関する全天候型バッテリー（図１１ではＡＣＢと標識される）およびベースラインのバッテリー（図１１では、ｃｏｎｖ．ＬｉＢと標識される）の試験結果を、図１１Ａに示す。ＡＣＢの場合、バッテリー試験は短い能動化期間から開始され、２Ｃに等しい定電流（即ち、５２Ａ）が高抵抗端子に約１４２秒間印加された。セル電圧は、０．６から１．３Ｖの間にあることが、図１１Ａからわかる。この能動化期間において、セルの内側に埋め込まれた抵抗器シートは急速に加熱され、セルは、図１１Ｂに表示された平均バッテリー温度により示されるように、急速に温まる。バッテリー温度が、バッテリーが低内部抵抗に切り換わる設定点である約０℃に到達すると、能動化が完了し、バッテリーは、図１１Ａに示されるように標準的な１Ｃ（即ち、２６Ａ）放電を行う。ＡＣＢの放電曲線を従来のＬｉＢの場合と対比させると、ＡＣＢの場合には実質的に改善された電圧、容量、およびエネルギー出力が示される。様々な周囲温度からのＡＣＢおよび従来のＬｉＢの類似の１Ｃ放電実験を実施した。容量および放電エネルギーを、それぞれ図１２Ａおよび１２Ｂに示す。ＡＣＢは、−３０℃の環境で、室温容量の＞９０％および室温エネルギーの＞８２％を送出することがわかる。比較では、従来のＬｉＢは、−３０℃で室温容量およびエネルギーのわずか６０％および５０％を出力する。−４０℃でのＡＣＢ性能の改善は、さらにより実質的なものであり、室温容量およびエネルギーの８５％および７０％を保持し、それに対して従来のＬｉＢは、同じ周囲条件下でほぼゼロの容量およびエネルギー出力を有する。２Ｃ放電実験も実施し、電力およびエネルギー出力は同様に優れたものである。
【００７３】
ハイブリッド電力パルス特徴付け（ＨＰＰＣ）試験も実行して、２６Ａｈ  ＡＣＢの電力容量を定量した。ＨＰＰＣ試験は、所与の充電状態（ＳＯＣ：state of charge）から開始し、３Ｃ放電パルスを２０秒間、次いで２０秒間の静止、その後、１Ｃ充電パルスを２０秒間と進行させる。そのようなＨＰＰＣ負荷に対する電圧応答を、図１３Ｂに示す。各２０秒パルスの終わりに、放電／充電電流にセル電圧を乗じることにより計算された放電および充電電力を、図１３Ｃに示す。−３０℃でのこの放電および充電電力は、従来のＬｉＢによる場合の約６〜７倍である。
【００７４】
前述の試験結果は、普通のＬｉイオンバッテリーに関して示されるが、先進のＬｉイオンバッテリー、ニッケル−金属水素化物（Ｎｉ−ＭＨ）、鉛−酸（Ｐｄ−酸）、およびその他のバッテリーの化学的性質をベースにした全天候型バッテリーには、同じ利点があることが予測される。
【００７５】
本発明の好ましい実施形態およびその多様性の例のみを、本開示で示し記述する。本発明は、様々なその他の組合せおよび環境で使用することが可能であり、本明細書で表されるような本発明の概念の範囲内で変更または修正することが可能であることを理解されたい。したがって例えば、当業者なら、通常の実験方法を使用するだけで、本明細書に記述される特定の物質、手順、および配置構成の数多くの均等物を認識しまたは確認することができるであろう。そのような均等物は、本発明の範囲内にあると見なされかつ下記の特許請求の範囲により包含される。
なお、本発明には以下の態様が含まれることを付記する。
〔１〕
再充電可能バッテリーであって、
第１の温度（Ｔ１）から第２の温度（Ｔ２）の間の前記バッテリーの温度範囲全体にわたる１つのレベルの内部抵抗（Ｒ１）で、前記バッテリーを動作させるための少なくとも１つの負端子および少なくとも１つの正端子と、
Ｔ１またはＴ２のいずれかの外側での第２のレベルの内部抵抗（Ｒ２）で、前記バッテリーを動作させるための、少なくとも１つの高抵抗端子と、
前記バッテリーの温度がＴ１またはＴ２のいずれかの外側にあるときに、Ｒ２を能動化するスイッチと
を備えた前記再充電可能バッテリー。
〔２〕
前記少なくとも１つの高抵抗端子が、前記バッテリーのセル内または前記バッテリーのセル間の少なくとも１つの抵抗器シートに電気接続される、〔１〕に記載の再充電可能バッテリー。
〔３〕
前記少なくとも１つの高抵抗端子が、前記バッテリーのセル内の少なくとも１つの抵抗器シートに電気接続され、または前記少なくとも１つの抵抗器シートが、一体的に、前記バッテリーの前記セルの電極の一部である、〔１〕に記載の再充電可能バッテリー。
〔４〕
前記少なくとも１つの抵抗器シートが加熱要素として作用する、〔２〕または〔３〕のいずれか一項に記載の再充電可能バッテリー。
〔５〕
前記少なくとも１つの抵抗器シートが、黒鉛、高配向熱分解黒鉛（ＨＯＰＧ）、ステンレス鋼、ニッケル、クロム、ニクロム、銅、アルミニウム、チタン、またはこれらの組合せで作製されている、〔２〕または〔３〕のいずれか一項に記載の再充電可能バッテリー。
〔６〕
前記少なくとも１つの抵抗器シートが、１〜１５０マイクロメートルの厚さを有する、〔２〕または〔３〕のいずれか一項に記載の再充電可能バッテリー。
〔７〕
前記少なくとも１つの抵抗器シートが、電極−セパレーター積層体またはジェリーロールの内側に挟まれ、前記少なくとも１つの抵抗器シートが、任意にポリマーまたは酸化物の薄層でコーティングされて、前記抵抗器シートを前記バッテリー内の電解質から隔離する、〔２〕に記載の再充電可能バッテリー。
〔８〕
前記少なくとも１つの抵抗器シートが、前記バッテリーセル内で均等に熱を発生させるように前記バッテリーのセル内で位置決めされる、〔２〕に記載の再充電可能バッテリー。
〔９〕
前記少なくとも１つの抵抗器シートが、前記バッテリー内で均等に熱を発生させるように前記バッテリー内のセル間に位置決めされる、〔２〕に記載の再充電可能バッテリー。
〔１０〕
前記少なくとも１つの抵抗器シートが、２つのタブを有するように構成され、一方のタブが、前記バッテリー内のその他の電極タブに電気接続されて低抵抗端子を形成し、前記少なくとも１つの抵抗器シートの他方のタブが、前記少なくとも１つの高抵抗端子を形成している、〔３〕に記載の再充電可能バッテリー。
〔１１〕
前記少なくとも１つの抵抗器シートが、バッテリーセルで使用される２つの金属集電器のいずれか若しくは両方、または前記２つの金属集電器の一部と同じである、〔２〕に記載の再充電可能バッテリー。
〔１２〕
前記少なくとも１つの抵抗器シートが、銅またはアルミ箔で作製されている、〔２〕または〔３〕のいずれか一項に記載の再充電可能バッテリー。
〔１３〕
前記少なくとも１つの抵抗器シートが、０．１から５の間の数値をアンペア・時（Ａｈ）を単位とするバッテリーの容量で割った値に等しい、オームを単位とする抵抗を有する、〔２〕または〔３〕のいずれか一項に記載の再充電可能バッテリー。
〔１４〕
前記少なくとも１つの高抵抗端子が、追加の負端子である、〔１〕、〔２〕、または〔３〕のいずれか一項に記載の再充電可能バッテリー。
〔１５〕
前記少なくとも１つの高抵抗端子が、追加の正端子である、〔１〕、〔２〕、または〔３〕のいずれか一項に記載の再充電可能バッテリー。
〔１６〕
前記スイッチが、Ｒ１で前記バッテリーを動作させるための前記端子とＲ２で前記バッテリーを動作させるための前記端子との間で切り換わるために、温度センサーによって駆動される、〔１〕に記載の再充電可能バッテリー。
〔１７〕
前記スイッチが、Ｒ１で前記バッテリーを動作させるための前記端子とＲ２で前記バッテリーを動作させるための前記端子との間を切り換えるために、熱によって自己能動化する、〔１〕に記載の再充電可能バッテリー。
〔１８〕
前記自己能動化するスイッチが、凍結によって膨張しかつ前記スイッチを押して開放する水をベースにしたカプセル、Ｔ１もしくはＴ２またはその両方で相転移および目に見えるほどの体積変化を受ける相変化材料、バイメタルスイッチ、または温度Ｔ１もしくはＴ２もしくはその両方でその体積が目に見えるほど膨張する固体材料の中から選択されるスイッチである、〔１７〕に記載の再充電可能バッテリー。
〔１９〕
前記スイッチが、電気化学的継電器および温度制御器で構成されるか、または、温度センサーを備えた固体継電器、温度センサーを備えたパワーＭＯＳＦＥＴ、もしくは温度センサーを備えた高電流スイッチで構成される、〔１〕に記載の再充電可能バッテリー。
〔２０〕
ニッケル−金属水素化物バッテリーである〔１〕、〔２〕、または〔３〕のいずれか一項に記載の再充電可能バッテリー。
〔２１〕
リチウムイオンバッテリーである〔１〕、〔２〕、または〔３〕のいずれか一項に記載の再充電可能バッテリー。
〔２２〕
パウチ、円筒状、プリズム状、または角のある形を有する〔１〕、〔２〕、または〔３〕のいずれか一項に記載の再充電可能バッテリー。
〔２３〕
〔１〕に記載の再充電可能バッテリーと、Ｒ１での前記バッテリーの動作とＲ２での前記バッテリーの動作との間で切り換わることができる制御器とを含むバッテリーシステム。
〔２４〕
Ｔ１およびＴ２の温度を決定するための温度センサーをさらに含む〔２３〕に記載のバッテリーシステム。
〔２５〕
少なくとも２つのレベルの内部抵抗を有する再充電可能バッテリーを動作させる方法であって、
第１の温度（Ｔ１）から第２の温度（Ｔ２）の間の前記バッテリーの温度範囲全体にわたる１つのレベルの内部抵抗（Ｒ１）で、前記バッテリーを動作させるステップと、
前記バッテリーの温度がＴ１またはＴ２のいずれかの外側にあるときに、Ｒ２を能動化するスイッチを能動化することによって、Ｔ１またはＴ２のいずれかの外側での第２のレベルの内部抵抗（Ｒ２）で、前記バッテリーを動作させるステップと
を具備する前記方法。
〔２６〕
前記バッテリー温度がＲ２で前記バッテリーを動作させるのにＴ１よりも低くまたはＴ２よりも高い場合、前記スイッチは開放される、〔２５〕に記載の方法。
〔２７〕
前記バッテリー温度がＲ１で前記バッテリーを動作させるのにＴ１からＴ２の間である場合、前記スイッチは閉鎖される、〔２５〕に記載の方法。
〔２８〕
少なくとも２つのレベルの内部抵抗を有する、再充電可能バッテリーを動作させる方法であって、
第１の温度（Ｔ１）から第２の温度（Ｔ２）の間の前記バッテリーの温度範囲全体にわたる１つのレベルの内部抵抗（Ｒ１）で、前記バッテリーを動作させるステップと、
Ｔ１またはＴ２のいずれかの外側での第２のレベルの内部抵抗（Ｒ２）で、前記バッテリーを動作させるステップと
を具備し、
Ｒ２で前記バッテリーを動作させるステップは、前記バッテリーの内部温度を上昇させるために定電圧−定電流（ＣＶＣＣ）サイクルを適用するステップを含む、前記方法。
〔２９〕
前記定電圧が０．２から１Ｖの間に設定され、電流限界が１Ｃから１０Ｃの間に設定される、〔２８〕に記載の方法。
【符号の説明】
【００７６】
１１０  再充電可能なバッテリー
１１２  抵抗器シート
１１２ａ  抵抗器タブ
１１２ｂ  抵抗器タブ
１１４  アノード電極
１１４ａ  アノードタブ
１１６  セパレーター
１１８  カソード電極
１１８ａ  カソードタブ
１２０  低抵抗負端子（ＬｏＲ（−））
１２２  高抵抗負端子（ＨｉＲ（−））
１２４  スイッチ
１２６  正端子（＋）
１２８ａ  外部回路
１２８ｂ  外部回路
１４０  ケーシング
【図１】
0006581974.tif 000002
【図２】
0006581974.tif 000003
【図３−１】
0006581974.tif 000004
【図３−２】
0006581974.tif 000005
【図４】
0006581974.tif 000006
【図５】
0006581974.tif 000007
【図６】
0006581974.tif 000008
【図７】
0006581974.tif 000009
【図８】
0006581974.tif 000010
【図９】
0006581974.tif 000011
【図１０】
0006581974.tif 000012
【図１１】
0006581974.tif 000013
【図１２】
0006581974.tif 000014
【図１３】
0006581974.tif 000015